(57)【要約】本発明は、抽出画像を、表示画面上の画像から抽出する。そして、本発明は、前記画像上における当該抽出画像の強調表示位置を決定する。そして、本発明は、前記抽出画像の存在領域が、前記画像に対して透過可能で且つ拡大するように、当該抽出画像を表示画面上の前記強調表示位置に表示する。
2004079708.tif 000002
【特許請求の範囲】
【請求項１】
情報機器の表示画面において、抽出した画像を強調表示する方法であって、
表示態様を変更する画像を、抽出画像として表示画面上の画像から抽出するステップと、
前記画像上における当該抽出画像の強調表示位置を決定するステップと、
前記抽出画像の存在領域が、前記画像に対して透過可能で且つ拡大するように、当該抽出画像を表示画面上の前記強調表示位置に表示する、表示ステップとを備える、画像表示方法。
【請求項２】
前記画像は、文字画像である、請求項１に記載の画像表示方法。
【請求項３】
前記表示ステップでは、当該抽出文字画像に含まれる文字部分以外の領域を、文書画像と透過可能な状態で表示する、請求項２に記載の画像表示方法。
【請求項４】
当該抽出文字画像が、前記表示画面上において、前記文書画像に対して強調されるように表示属性を変更する、そのような表示属性変更ステップをさらに備える、請求項３に記載の画像表示方法。
【請求項５】
前記表示属性変更ステップでは、当該抽出文字画像及び前記表示画面上の少なくともいずれか一方に関する、表示色、表示色の濃淡、及びフォントを、当該抽出文字画像が強調されるように決定する、請求項４に記載の画像表示方法。
【請求項６】
前記文書画像上から当該抽出文字画像を抽出する範囲を指定する、範囲指定ステップをさらに備える、請求項５に記載の画像表示方法。
【請求項７】
前記範囲指定ステップでは、前記文書画像において所定の範囲にある文字画像を抽出する範囲として指定する、請求項６に記載の画像表示方法。
【請求項８】
情報機器の表示画面において、抽出した画像を強調表示するプログラムであって、
表示態様を変更する画像を、抽出画像として表示画面上の画像から抽出するステップと、
前記画像上における当該抽出画像の強調表示位置を決定するステップと、
前記抽出画像の存在領域が、前記画像に対して透過可能で且つ拡大するように、当該抽出画像を表示画面上の前記強調表示位置に表示する、表示ステップとを備える、画像表示プログラム。
【請求項９】
前記画像は、文字画像である、請求項８に記載の画像表示プログラム。
【請求項１０】
前記表示ステップでは、当該抽出文字画像に含まれる文字部分以外の領域が、文書画像と透過可能な状態で表示する、請求項９に記載の画像表示プログラム。
【請求項１１】
当該抽出文字画像が、前記表示画面上において、前記文書画像に対して強調されるように表示属性を変更する、そのような表示属性変更ステップをさらに備える、請求項１０に記載の画像表示プログラム。
【請求項１２】
前記表示属性変更ステップでは、当該抽出文字画像及び前記表示画面上の少なくともいずれか一方に関する、表示色、表示色の濃淡、及びフォントを、当該抽出文字画像が強調されるように決定する、請求項１１に記載の画像表示プログラム。
【請求項１３】
前記文書画像上から当該抽出文字画像を抽出する範囲を指定する、範囲指定ステップをさらに備える、請求項１２に記載の画像表示プログラム。
【請求項１４】
前記範囲指定ステップでは、前記文書画像において所定の範囲にある文字画像を抽出する範囲として指定する、請求項１３に記載の画像表示プログラム。
【請求項１５】
表示画面において、抽出した画像を強調表示する情報機器であって、
表示態様を変更する画像を、抽出画像として表示画面上の画像から抽出する手段と、
前記画像上における当該抽出画像の強調表示位置を決定する手段と、
前記抽出画像の存在領域が、前記画像に対して透過可能で且つ拡大するように、当該抽出画像を表示画面上の前記強調表示位置に表示する、表示手段とを有する情報機器。
【請求項１６】
前記画像は、文字画像である、請求項１５に記載の情報機器。
【請求項１７】
前記表示手段は、当該抽出文字画像に含まれる文字部分以外の領域を、文書画像と透過可能な状態で表示すＳる、請求項１６に記載の情報機器。
【請求項１８】
前記表示手段は、当該抽出文字画像を、前記文書画像上の文字画像に対して拡大して表示する、請求項１６または１７に記載の情報機器。
【請求項１９】
当該抽出文字画像が、前記表示画面上において、前記文書画像に対して強調されるように表示属性を変更する、そのような表示属性変更手段をさらに有する、請求項１８に記載の情報機器。
【請求項２０】
前記表示属性変更手段は、当該抽出文字画像及び前記表示画面上の少なくともいずれか一方に関する、表示色、表示色の濃淡、及びフォントを、当該抽出文字画像が強調されるように決定する、請求項１９に記載の情報機器。
【請求項２１】
前記文書画像上から当該抽出文字画像を抽出する範囲を指定する、範囲指定手段をさらに有する、請求項２０に記載の情報機器。
【請求項２２】
前記範囲指定手段は、前記文書画像において所定の範囲にある文字画像を抽出する範囲として指定する、請求項２１に記載の情報機器。
【発明の詳細な説明】
【技術分野】  本発明は、情報処理端末における画像表示技術に関する。
【背景技術】  一般に、ＰＤＡ（Ｐｅｒｓｏｎａｌ  Ｄｉｇｉｔａｌ  Ａｓｓｉｓｔａｎｔｓ）、或いは携帯電話機等の各種携帯情報端末が、広く普及している。
ＰＤＡは、携帯情報端末とも呼ばれる個人向けの情報管理端末である。通常、ＰＤＡには、住所録、スケジュール管理、テキストファイルなどの文字情報の編集、及び電子メール送受信などの機能が備わる。
また、ＰＤＡには、これらの情報を表示するために、液晶式のディスプレイが備えられる。そして、ＰＤＡは、このディスプレイの表示部の表面に、感圧式のセンサが全面に備える。このようなディスプレイ（または感圧式センサ）は、一般にタッチパネルと呼ばれる。
ＰＤＡの操作方法は、コンピュータのようにキーボードではなく、スタイラスペンと称されるペン型の部材を用いる。このスタイラスペンをタッチパネルに当てて操作する。このディスプレイ上をスタイラスペンで軌跡を描く、或いは指示するような、いわゆるタップと称される操作を行うことで、コンピュータのマウスと同様の操作が行なうことができる。
そして、ＰＤＡや携帯電話機などの各種携帯情報端末において、端末本体が小型であるのが一般的である。しかしながら、ＰＤＡは、端末本体が小型であるため、ディスプレイも小さい。従って、ＰＤＡでは、文章を表示する際に、ユーザにとって文字が小さく見づらいという問題があった。
ところで、上記のようなコンピュータ等の情報処理端末における、文字情報の表示画像の視認性を向上させるための技術として、例えば、文字情報の表示画像を拡大する技術が開示されている（例えば、特許文献１から４参照）。
【特許文献１】  特開２００２−２２９７０３号公報
【特許文献２】  特開２０００−９９５０６号公報
【特許文献３】  特開平１０−９１３８２号公報
【特許文献４】  特開２００１−３０６２０３号公報
【発明の開示】
しかしながら、上記した特許文献の技術を、ＰＤＡ等の携帯情報端末に適用した場合に、例えば以下のような問題があった。
まず、特許文献１から３の技術では、拡大した文字画像の表示部を、表示画面上に、拡大前の文字画像の表示部を覆い隠すように表示していた。従って、特許文献１から３の技術をＰＤＡに適用した場合には、ディスプレイの面積が限られるため、拡大した文字画像は読みやすくなっていても、拡大前の元の文章を視認することは容易ではなかった。
また、特許文献４の技術は、拡大した文字列のウインドウを元の文字列に重ね合わせて表示する技術であった。従って、上記特許文献の技術では、元の文字列が拡大した文字列によって隠されてしまう。このため、この技術を画面面積の限られるＰＤＡに適用するのは、不適であった。
本発明は、前記した事項に鑑みて為されたものであり、情報端末の表示画面において、強調表示された文字画像及び強調表示していない元の文字画像を参照可能とする画像表示技術を提供することを課題とする。
本発明は前記課題を解決するために、以下の手段を採用した。すなわち、本発明は、情報端末の表示画面において、表示態様を変更する画像である、抽出画像を、表示画面上の画像から抽出する。そして、本発明は、前記文書画像上における当該抽出文字画像の強調表示位置を決定する。そして、本発明は、前記抽出画像の存在領域が、前記画像に対して透過可能で且つ拡大するように、当該抽出画像を表示画面上の前記強調表示位置に表示する。
本発明によれば、画像を取り扱う処理において、特定の画像が元の画像に重ね合わされて表示されるため、利用者が当該画像を容易に確認することができる。
また、本発明は、前記画像が文字画像であってもよい。
そして、本発明は、当該抽出文字画像に含まれる文字部分以外の領域が、前記文書画像と透過可能な状態で表示されてもよい。
従って、本発明によれば、表示画面の面積が限られる場合であっても、強調された文字画像と元の文書画像の双方が確認可能となる。
また、本発明は、当該抽出文字画像が、前記表示画面上において、前記文書画像に対して強調されるように表示属性を変更してもよい。
従って、本発明によれば、強調表示された文字画像が元の文書画像に重ね合わされて表示されても、強調表示された文字画像を容易に確認することができる。
そして、本発明は、前記文書画像上から当該抽出文字画像を抽出する範囲を指定してもよい。
また、本発明は、当該抽出文字画像を、前記文書画像上の文字画像に対して拡大して表示してもよい。
従って、本発明によれば、強調表示する文字画像を、元の文字画像に対して容易に確認することができる。
そして、本発明は、当該抽出文字画像及び前記表示画面上の少なくともいずれか一方に関する、表示色、表示色の濃淡、及びフォントを、当該抽出文字画像が強調されるように決定してもよい。
従って、本発明によれば、強調表示する文字画像が、元の文書画像に対して重ね合わされて表示されていても、当該文字画像を容易に確認することができる。
さらに、本発明は、前記文書画像において所定の範囲にある文字画像を抽出する範囲として指定してもよい。
従って、本発明によれば、強調表示する文字画像の抽出する範囲の指定を、容易且つ正確に行うことができる。
また、本発明は、以上の何れかの機能を実現させるプログラムであってもよい。また、本発明は、そのようなプログラムをコンピュータが読み取り可能な記憶媒体に記録してもよい。
さらに、本発明は、以上の何れかの機能を実現する装置であってもよい。
【図面の簡単な説明】  ＦＩＧ．１は、本発明の一実施の形態に係る、携帯情報端末（ＰＤＡ）のハードウェアの概略構成図であり、
ＦＩＧ．２は、本実施の形態に係る、ＰＤＡのハードウェアのシステム構成図であり、
ＦＩＧ．３は、本実施の形態に係る、強調表示処理のフローチャートであり、
ＦＩＧ．４は、本実施の形態に係る、文字画像拡大処理のフローチャートであり、
ＦＩＧ．５は、本実施の形態に係る、通常の文書画像の表示画面の一例を示す図であり、
ＦＩＧ．６は、本実施の形態に係る、抽出した文字画像を拡大して強調表示した文書画像の表示画面の一例を示す図であり、
ＦＩＧ．７は、本実施の形態に係る、文字画像の強調表示を設定するオプション画面の一例を示す図であり、
ＦＩＧ．８は、本実施の形態に係る、強調表示する文字画像のフォント選択画面の一例を示す図であり、
ＦＩＧ．９は、本実施の形態に係る、強調表示する文字画像の表示色を選択する、カラー選択画面の一例を示す図である。
【発明を実施するための最良の形態】  以下、本発明の画像表示方法に係る一実施の形態を、ＦＩＧ．１からＦＩＧ．９の図面を参照して説明する。
なお、本実施の形態では、本発明の画像表示方法を、携帯情報端末（以下の記載ではＰＤＡ（Ｐｅｒｓｏｎａｌ  Ｄｉｇｉｔａｌ  Ａｓｓｉｓｔａｎｔｓ）とする）の文書編集用アプリケーションプログラムにおける文字画像を強調表示した例について説明する。また、本実施の形態では、本発明の画像表示方法を、コンピュータ等の情報処置装置（情報端末）で実行可能なプログラムとして提供される。そして、この画像表示プログラムは、アドイン（機能追加）プログラムとして、上記の文書編集用アプリケーションプログラム等の、既存のアプリケーションプログラムにおいて画像表示処理を実行する。
〈装置構成〉
ＦＩＧ．１は、本実施の形態の処理を実行する、ＰＤＡのハードウェアの概略構成図である。ＰＤＡ１００には、各種演算処理を行う、ＣＰＵ（ｃｅｎｔｒａｌ  ｐｒｏｃｅｓｓｉｎｇ  ｕｎｉｔ）１０１が備えられている。また、ＰＤＡ１００には、処理内容等を表示する、液晶ディスプレイユニット１０２が備えられている。さらに、ＰＤＡ１００には、タッチパネル或いは入力キー等の、各種入力手段１０３が備えられている。フラッシュメモリやＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）等の各種記憶媒体１０４が備えられている。そして、上記の各構成要素は、それぞれバス１０５を介して接続している。
また、ＰＤＡ１００には、外部の機器と接続するための様々なインターフェイスが備えられている。本実施の形態では、ＰＤＡ１００のインターフェイスとして、クレイドルコネクタ１０６、拡張機器コネクタ１０７、オーディオジャック１０８、ＩＲ（赤外線）ポート１０９、ブルートゥース（ｂｌｕｅｔｏｏｔｈ）モジュール１１０、外部メモリ用スロット１１２、及びＡＣ（交流電源）アダプタ用ジャック１１３が備えられている。
次に、上記インターフェイスについて説明する。クレイドルコネクタ１０６は、クレイドル２００を介してコンピュータ３００と接続する。拡張機器コネクタ１０７は、各種拡張機器モジュール４００との接続に用いる。オーディオジャック１０８は、ヘッドホン５００等の外部オーディオ機器との接続に用いる。ＩＲポート１０９は、赤外線により、コンピュータ３００との通信路を構成する。ブルートゥースモジュール１１０は、アンテナ１１１を介して、ブルートゥースの規格に対応したコンピュータ３００と、無線で接続する。外部メモリ用スロット１１２は、各種小型フラッシュメモリの規格に対応した接続スロットである。
ＦＩＧ．２は、本実施の形態に係る、ＰＤＡ１００のハードウェアのシステム構成図である。上記のようにＰＤＡ１００には、ＣＰＵ１０１、液晶ディスプレイユニット１０２（本発明の表示手段）、入力手段１０３、記憶媒体１０４、クレイドルコネクタ１０６、拡張機器コネクタ１０７、オーディオジャック１０８、ＩＲポート１０９、ブルートゥースモジュール１１０、外部メモリ用スロット１１２、及びＡＣアダプタ用ジャック１１３が備えられている。また、ＰＤＡ１００には、バッテリ充電器１１４、バッテリ１１５、電源回路１１７、フォトセンサ１１８、オーディオＣＯＤＥＣ（ｃｏｄｅｒ−ｄｅｃｏｄｅｒ）１１９、及び周辺機器制御チップ１２０が備えられている。
以下に、ＰＤＡ１００の構成要素について、ＦＩＧ．１で説明していないものについて、ＦＩＧ．２に基づいて説明する。液晶ディスプレイユニット１０２には、液晶ディスプレイ１０２ａ及びフロントライトユニット１０２ｂが備えられている。そして、液晶ディスプレイ１０２ａの表示画面部分には、画面上からＰＤＡ１００への指示を受け付ける、タッチパネル１０３ａが備えられている。
また、ＰＤＡ１００において、入力手段１０３としては、上記のタッチパネル１０３ａ、及び、入力ボタン１０３ｂが備えられている。ＰＤＡ１００には、記憶媒体１０４として、フラッシュメモリ１０４ａ及びＳＤＲＡＭ１０４ｂが備えられている。クレイドルコネクタ１０６には、ＡＣ電源線、ＵＳＢ接続用ケーブル、シリアル接続用ケーブル等が配線されている。このクレイドルコネクタ１０６を介して、電源供給、他の機器との接続ができる。
また、オーディオジャック１０８は、アンプ１２０を介して、オーディオＣＯＤＥＣ１１９と接続している。このオーディオＣＯＤＥＣ１１９は、ＣＰＵ１０１からの音声に関するデジタル信号をアナログ信号に変換する。このアナログ信号は、アンプ１２０を介してオーディオジャック１０８及びスピーカ１２０ｂから音声として出力される。
ＰＤＡ１００の電源回路１１７は、バッテリ１１５、バッテリ充電器１１４、及びＡＣアダプタ用ジャック１１３と接続している。電源回路１１７は、ＡＣアダプタ用ジャック１１３ないしクレイドルコネクタ１０６からの電源供給をバッテリ１１５及びＰＤＡ１００の構成要素への供給を制御する。
周辺機器制御チップ１２０は、拡張機器コネクタ１０７に接続する拡張機器等を制御するためのチップである。この周辺機器制御チップ１２０は、上記拡張機器等及びＣＰＵ１０１と接続する。
〈強調表示処理〉
次に、本実施の形態に係る、文字画像の強調表示処理について説明する。
ＦＩＧ．３は、本実施の形態に係る、文字画像の強調表示処理を示すフローチャートである。
まず、ＣＰＵ１０１（本発明の範囲指定手段）では、強調表示する文字画像の対象となる、文章（文書画像）があるか否かを判断する（ＦＩＧ．３におけるステップ００１、以下Ｓ００１のように省略する）。このステップ００１にて文章がないと判断されたときは、ＰＤＡ１００は本処理を終了する。
ステップ００１で強調表示する文字画像の対象となる文章があると判断されたとき、ＰＤＡ１００は、強調表示する文字画像の範囲を指定する情報を、タッチパネル１０３ａ等の入力手段１０３（本発明の範囲指定手段）を介してユーザから受け付ける（Ｓ００２）。このステップ００２の処理は、本発明の範囲指定ステップに相当する。このステップ００２の処理では、ユーザによる強調表示する文字画像範囲指定方法としては、例えば、スタイラスペンを用いてタッチパネル１０３ａにて当該文字画像の範囲を完全一致で指定させて抽出してもよい。また、当該文字画像範囲指定方法として、例えば、入力ボタン１０３ｂから当該文字画像の範囲を完全一致で指定させて抽出してもよい。さらに、当該文字画像範囲指定方法として、例えば、当該文字画像の範囲を、一文節間、句読点間、改行位置等の、所定の範囲にある文字画像を指定して抽出させてもよい。このときの所定の範囲の決定は、例えば、ユーザが指示した文字画像の周辺から決定してもよい。
そして、ＣＰＵ１０１では、指定された文字画像の範囲が、当該ＰＤＡ１００の液晶ディスプレイユニット１０２に表示可能であるか否かを判定する（Ｓ００３）。このとき、当該文字画像の範囲が液晶ディスプレイユニット１０２によって表示不可能である場合にＣＰＵ１０１では、再度文字画像の範囲を指定するためにステップ００２の処理を行う。
また、ＣＰＵ１０１では、液晶ディスプレイユニット１０２に、文書画像の表示属性を変更して表示する（Ｓ００４）。このとき、ＣＰＵ１０１では、例えば、当該文書画像の表示色の濃淡を変更して（例えば、通常表示より淡くする）、表示属性の変更処理を行う。またこの表示属性の変更処理として、例えば、表示色の変更処理、或いはフォントの変更処理等を行ってもよい。
さらに、ＣＰＵ１０１は、上記指定された範囲の文字画像を液晶ディスプレイユニット１０２に表示する（Ｓ００５）。このとき、当該文字画像の表示色、表示色の濃淡、フォント、文字サイズの拡大等の、表示属性の決定処理を行う。
そして、当該文字画像は、ステップ００４で表示属性を変更した文書画像に重ね合わせて表示される。また、文字画像の背面には、文書画像が透過して表示されている。従って、本実施の形態では、表示画面の小さいＰＤＡ等の情報端末であっても、文字画像を強調表示し且つ元の文書画像を確認することができる。
ＦＩＧ．４は、抽出した文字画像の強調表示処理の一例として、当該文字画像を拡大する、文字画像拡大処理を行うときのフローチャートである。
まず、ＣＰＵ１０１は、ユーザにより指定された文字画像の範囲から、当該文字画像の画面上の座標位置を検出する（ＦＩＧ．４におけるステップ１０１、以下Ｓ１０１と省略する）。このとき検出する座標位置は、例えば、当該文字画像の範囲の始点と終点の画面上のＸ座標及びＹ座標である。当該文字画像の座標検出後、ＣＰＵ１０１は、当該文字画像の情報を抽出する（Ｓ１０２）。そして、ＣＰＵ１０１は、当該文字画像の情報のうち、文字サイズに関する情報を拡大するように変更する（Ｓ１０３）。そして、ＣＰＵ１０１は、表示画面を制御する不図示の画像プロセッサ（本発明の表示手段及び表示属性変更手段）に、拡大した文字画像の情報を引き渡す。
画像プロセッサでは、この拡大した文字画像の情報に基づいて、当該文字画像が表示画面上で拡大表示されるようにビットマップ展開する（Ｓ１０４）。画像プロセッサは、拡大した文字画像の表示範囲の相対的な位置座標から、当該文字画像の画面上における矩形領域を計算する（Ｓ１０５）。そして画像プロセッサは、計算した当該文字画像の矩形領域の相対座標に基づいて、表示画面における当該文字画像の表示領域の絶対座標を決定する（Ｓ１０６）。画像プロセッサは、この決定した当該文字画像内の位置を示す変数を（０，０）に初期化する（Ｓ１０７）。すなわち、初期状態において、変数（Ｘ，Ｙ）が相対座標の原点に設定される。
画像プロセッサは、当該文字画像の表示領域の矩形領域演算処理を行う（Ｓ１０８）。この矩形領域演算処理では、以下の処理を行う。画像プロセッサは、当該文字画像の表示領域における文字部分、及び文書画像の表示領域における文字部分の何れかであるとき、その部分のビットを塗りつぶす処理（例えば、画像間のＯＲ演算処理）を行う。また、画像プロセッサは、当該文字画像の表示領域における文字以外の部分、且つ文書画像の表示領域における文字以外の部分であるとき、その部分のビットを塗りつぶさずに表示画面の背景色を維持する処理を行う。
画像プロセッサは、このステップ１０８の処理を、矩形領域のＸ座標が最大値となる位置まで行われたか否かを判断する（Ｓ１０９）。Ｘ方向の矩形領域演算処理が完了していない場合は、画像プロセッサは、ステップ１０８の処理に戻る。そして、画像プロセッサは、Ｘ方向の矩形領域演算処理が完了したときにＸ座標の数値を０にする（Ｓ１１０）。さらに、画像プロセッサは、Ｙ方向の矩形領域演算処理が完了したか否かを判断する（Ｓ１１１）。このとき、Ｙ方向の矩形領域演算処理が完了していない場合は、画像プロセッサはステップ１０８の処理に戻る。
Ｘ方向及びＹ方向の矩形領域演算処理が完了したとき、画像プロセッサは、本処理を終了する。
〈強調表示の表示画面例〉
次に、本実施の形態に係る、強調表示の表示画面例を説明する。
ＦＩＧ．５は、本実施の形態に係る、ＰＤＡ１００の液晶ディスプレイユニット１０２に表示される文書画像１の一例である。この文書画像１において、強調表示する文字画像１ａの範囲を上述した方法で指定する。そして、上述した本実施の形態に係る強調表示処理（拡大表示処理）を行う。
ＦＩＧ．６は、本実施の形態に係る、ＰＤＡ１００の液晶ディスプレイユニット１０２に表示される強調表示処理後の文書画像２の一例である。この文書画像２には、強調表示処理後の文字画像２ａが、文書画像２の他の文字画像に重ね合わされて表示される。また、この文書画像２には、強調表示処理する前の文字画像１ａも表示されている。そして、文書画像２は、強調表示処理後の文字画像２ａが強調されるように、表示属性変更処理がされている。
強調表示処理後の文字画像２ａは、文書画像２に対して強調されるように、表示色を文書画像２と異ならせる等して、表示属性を決定している。また、当該文字画像２ａは、文書画像２を下地として、文書画像２が透過するように表示される。すなわち、文字画像内の文字部分が存在する領域以外の領域が透明となり、下地の文書画像が透過して表示される。
このように、本実施の形態に係る強調表示処理によって、抽出した文字画像を強調表示し且つ元の文書画像を確認することができる。
〈強調表示のメニュー画面〉
次に、本実施の形態に係る強調表示処理の、文書画像及び強調表示する文字画像の表示属性を決定する、メニュー画面（本発明の表示属性変更手段）の一例を説明する。
ＦＩＧ．７は、本実施の形態に係る強調表示処理のメニュー画面３の一例である。メニュー画面３には、強調表示する文字画像のフォント選択ボタン３ａ及び表示色選択ボタン３ｂ、画面の透過状態の調節ボタン３ｃ、背面にある文書画像のフォント選択ボタン３ｄ及び表示色選択ボタン３ｅ、背面の表示色調整選択ボタン３ｆ、及び抽出する文字画像の表示領域の範囲を指定する、範囲指定選択チェックボックス３ｇが備えられている。上記のメニュー画面３上のボタン及びチェックボックスを選択するには、液晶ディスプレイユニット１０２の表面にあるタッチパネル１０３ａをスタイラスペン（不図示）で指示する。
ＦＩＧ．８は、メニュー画面３において、フォント選択ボタン３ａ，３ｄを選択ときに表示される、フォント選択画面４の一例である。フォント選択画面４には、フォント名選択部４ａが表示される。ユーザは、このフォント名選択部４ａから希望のフォントを選択する。従って、ユーザは、フォント選択ボタン３ａ，３ｄにより、強調表示する文字画像及び文書画像のフォントを選択することができる。
ＦＩＧ．９は、メニュー画面３において、表示色選択ボタン３ｂ，３ｅを選択したときに表示される、表示色選択画面５の一例である。表示色選択画面５には、表示色選択部５ａが表示される。ユーザは、この表示色選択部５ａから希望の表示色を選択する。従って、ユーザは、表示色選択部３ｂ，３ｅにより、強調表示する文字画像及び文書画像の表示色を選択することができる。
〈変形例〉
なお、本発明の画像表示方法は、本実施の形態にのみ限定されるものではなく、本発明の要旨を逸脱しない範囲内において種々変更を加え得ることは勿論である。
例えば、本実施の形態に係る強調表示処理（拡大表示処理）を、画像プロセッサにより実現した。しかし、これに代えて、本処理をＰＤＡ１００のＣＰＵ１０１で実行させるプログラムによって、実現してもよい。
また、本実施の形態に係る強調表示処理（拡大表示処理）を、ＰＤＡではなく、他のコンピュータで用いてもよい。すなわち、本発明は、情報機器一般の表示に広く適用できる。
さらに、本実施の形態に係る強調表示処理（拡大表示処理）を、文書画像上の文字画像の強調表示に用いたが、他の既存のアプリケーションプログラムに用いてもよい。
本実施の形態では、強調表示する文字画像と元の文書画像とを重ね合わせて、当該文字画像及び当該文書画像の何れかであるとき、画面上の塗りつぶし処理を行った。これに代えて、本発明では、強調表示する文字画像と元の文書画像の間で、色の加算を実行してもよい。
例えば、画像の各画素が、８ビットで色を指定されていると仮定する（２５６色指定可能）。このとき、本処理では、強調表示する文字画像の色の値（０から２５５）と、元の文書画像の色の値（０から２５５）とを加算し、加算後の値を重ね合わせ後の色とすればよい。
これにより、強調された文字画像内の文字部分内においても、下地の文字画像の文字を透過させることができる。ただし、この場合には、強調された文字画像自体は、見づらくなる。
また、本実施の形態では、本処理はアドインプログラムが実現するものとして説明した。しかし、本処理を実行するプログラムは、オペレーティングシステム（ＯＳ）、アプリケーションプログラム等に組み込まれてもよい。
【産業上の利用可能性】  本発明は、情報端末の表示画面において、強調表示された文字画像及び強調表示していない元の文字画像を参照可能とする画像表示技術を提供する産業に適用可能である。
【図１】
2004079708.tif 000003
【図２】
2004079708.tif 000004
【図３】
2004079708.tif 000005
【図４】
2004079708.tif 000006
【図５】
2004079708.tif 000007
【図６】
2004079708.tif 000008
【図７】
2004079708.tif 000009
【図８】
2004079708.tif 000010
【図９】
2004079708.tif 000011
【手続補正書】
【提出日】平成17年4月12日(2005.4.12)
【手続補正１】
【補正対象書類名】特許請求の範囲
【補正対象項目名】全文
【補正方法】変更
【補正の内容】
【特許請求の範囲】
【請求項１】
情報機器の表示画面において、抽出した画像を強調表示する方法であって、
表示態様を変更する画像を、抽出画像として表示画面上の画像から抽出するステップと、
前記画像上における当該抽出画像の強調表示位置を決定するステップと、
前記抽出画像の存在領域が、前記画像に対して透過可能で且つ拡大するように、当該抽出画像を表示画面上の前記強調表示位置に表示する、表示ステップとを備える、画像表示方法。
【請求項２】
情報機器の表示画面において、抽出した画像を強調表示するプログラムであって、
表示態様を変更する画像を、抽出画像として表示画面上の画像から抽出するステップと、
前記画像上における当該抽出画像の強調表示位置を決定するステップと、
前記抽出画像の存在領域が、前記画像に対して透過可能で且つ拡大するように、当該抽出画像を表示画面上の前記強調表示位置に表示する、表示ステップとを備える、画像表示プログラム。
【請求項３】
表示画面において、抽出した画像を強調表示する情報機器であって、
表示態様を変更する画像を、抽出画像として表示画面上の画像から抽出する手段と、
前記画像上における当該抽出画像の強調表示位置を決定する手段と、
前記抽出画像の存在領域が、前記画像に対して透過可能で且つ拡大するように、当該抽出画像を表示画面上の前記強調表示位置に表示する、表示手段とを有する情報機器。
【請求項４】
前記画像は、文字画像である、請求項３に記載の情報機器。
【請求項５】
前記表示手段は、当該抽出文字画像に含まれる文字部分以外の領域を、文書画像と透過可能な状態で表示する、請求項４に記載の情報機器。
【請求項６】
前記表示手段は、当該抽出文字画像を、前記文書画像上の文字画像に対して拡大して表示する、請求項４または５に記載の情報機器。
【請求項７】
当該抽出文字画像が、前記表示画面上において、前記文書画像に対して強調されるように表示属性を変更する、そのような表示属性変更手段をさらに有する、請求項６に記載の情報機器。
【請求項８】
前記表示属性変更手段は、当該抽出文字画像及び前記表示画面上の少なくともいずれか一方に関する、表示色、表示色の濃淡、及びフォントを、当該抽出文字画像が強調されるように決定する、請求項７に記載の情報機器。
【請求項９】
前記文書画像上から当該抽出文字画像を抽出する範囲を指定する、範囲指定手段をさらに有する、請求項８に記載の情報機器。
【請求項１０】
前記範囲指定手段は、前記文書画像において所定の範囲にある文字画像を抽出する範囲として指定する、請求項９に記載の情報機器。
【国際調査報告】
2004079708.tif 000012
2004079708.tif 000013
2004079708.tif 000014